(57)【要約】   信号を処理するための方法及び装置。シグマ−デルタ変調装置が用いられる。適応性のあるダイナミック・レンジコントローラは、シグマ−デルタ変調装置からの信号出力のダイナミック・レンジを適応性のあるように調整するように構成される。
2010534031.tif 000002
【特許請求の範囲】
【請求項１】
シグマ−デルタ変調装置と、
前記シグマ−デルタ変調装置からの信号出力のダイナミック・レンジを適応性のあるように調整するように構成された適応性のあるダイナミック・レンジコントローラと
を具備する、信号を処理するための装置。
【請求項２】
前記適応性のあるダイナミック・レンジコントローラは、前記シグマ−デルタ変調装置に対する信号入力の包絡線を生成し、フィードバック信号を生成するために前記シグマ−デルタ変調装置からの前記信号出力に前記包絡線を適用し、前記シグマーデルタ変調装置に前記フィードバック信号を提供するように構成された包絡線検出器を更に具備する、請求項１に記載の装置。
【請求項３】
前記適応性のあるダイナミック・レンジコントローラは、前記フィードバック信号を生成するために前記シグマ−デルタ変調装置からの前記信号出力に前記包絡線を適用するように構成された乗算器を更に具備する、請求項２に記載の装置。
【請求項４】
前記適応性のあるダイナミック・レンジコントローラは、前記包絡線の振幅を調整するように構成された可変利得の増幅器を更に具備する、請求項２に記載の装置。
【請求項５】
前記適応性のあるダイナミック・レンジコントローラは、前記シグマ−デルタ変調装置に対する前記信号入力を再構成するように構成された信号再構成ユニットを更に具備し、前記包絡線検出器は、前記再構成された信号から前記包絡線を生成するように更に構成される、請求項２に記載の装置。
【請求項６】
前記包絡線検出器は、前記再構成信号を整流するように構成された整流器を更に具備する、請求項５に記載の装置。
【請求項７】
前記包絡線検出器は、フィルタを更に具備し、前記整流器は、前記フィルタに前記整流された再構成された信号を提供するように更に構成される、請求項６に記載の装置。
【請求項８】
前記信号再構成ユニットは、前記フィードバック信号から前記シグマ−デルタ変調装置に対する前記信号入力を再構成するように更に構成される、請求項５に記載の装置。
【請求項９】
前記信号再構成ユニットは、前記シグマ−デルタ変調装置に対する前記信号入力を再構成するように構成されたフィルタを具備する、請求項５に記載の装置。
【請求項１０】
前記シグマ−デルタ変調装置は、フィードバックループを具備し、前記適応性のあるダイナミック・レンジコントローラは、前記シグマ−デルタ変調装置の中の前記フィードバックループに前記フィードバック信号を提供するように更に構成される、請求項２に記載の装置。
【請求項１１】
シグマ−デルタ変調装置から出力された信号を受信するように構成された装置であって、前記受信された信号の前記ダイナミック・レンジは適応性のあるように調整されており、
フィルタと、
そのダイナミック・レンジが逆に調整されている前記受信された信号を備える出力を生じ、前記フィルタに前記出力を提供するように構成された適応性のあるダイナミック・レンジコントローラと
を具備する装置。
【請求項１２】
前記適応性のあるダイナミック・レンジコントローラは、前記シグマ−デルタ変調装置に対する信号入力の包絡線を生成し、前記受信された信号に前記包絡線を適用するように構成された包絡線検出器を更に具備する、請求項１１に記載の装置。
【請求項１３】
前記適応性のあるダイナミック・レンジコントローラは、前記受信された信号に前記包絡線を適用するように構成された乗算器を更に具備する、請求項１２に記載の装置。
【請求項１４】
前記適応性のあるダイナミック・レンジコントローラは、前記包絡線の振幅を調整するように構成された可変利得の増幅器を更に具備する、請求項１２に記載の装置。
【請求項１５】
前記適応性のあるダイナミック・レンジコントローラは、前記シグマ−デルタ変調装置に対する前記信号入力を再構成するように構成された信号再構成ユニットを具備し、前記包絡線検出器は、前記再構成された信号から前記包絡線を生成するように更に構成される、請求項１２に記載の装置。
【請求項１６】
前記包絡線検出器は、前記再構成された信号を整流するように構成された整流器を更に具備する、請求項１５に記載の装置。
【請求項１７】
前記包絡線検出器は、フィルタを更に具備し、前記整流器は、前記フィルタに前記整流された再構成された信号を提供するように更に構成される、請求項１６に記載の装置。
【請求項１８】
前記信号再構成ユニットは、前記受信された信号から前記シグマ−デルタ変調装置に対する前記信号入力を再構成するように更に構成される、請求項１５に記載の装置。
【請求項１９】
前記信号再構成ユニットは、前記シグマ−デルタ変調装置に対する前記信号入力を再構成するように構成されたフィルタを具備する、請求項１５に記載の装置。
【請求項２０】
シグマ−デルタ変調装置と、
前記シグマーデルタ変調装置からの信号出力の前記ダイナミック・レンジを適応性のあるように調整するための手段と
を具備する、信号を処理するための装置。
【請求項２１】
前記シグマ−デルタ変調装置からの信号出力の前記ダイナミック・レンジを適応性のあるように調整するための前記手段は、前記シグマ−デルタ変調装置に対する信号入力の包絡線を生成するための手段、及び前記シグマ−デルタ変調装置のためのフィードバック信号を生成するために前記シグマ−デルタ変調装置からの前記信号出力に前記包絡線を適用するための手段を具備する、請求項２０に記載の装置。
【請求項２２】
前記シグマ−デルタ変調装置からの前記信号出力に前記包絡線を適用するための前記手段は乗算器を具備する、請求項２１に記載の装置。
【請求項２３】
前記シグマ−デルタ変調装置からの信号出力の前記ダイナミック・レンジを適応性のあるように調整するための前記手段は、前記包絡線の振幅を調整するための手段を更に具備する、請求項２１に記載の装置。
【請求項２４】
前記シグマ−デルタ変調装置からの信号出力の前記ダイナミック・レンジを適応性のあるように調整するための前記手段は、前記シグマ−デルタ変調装置に対する前記信号入力を再構成するための手段を更に具備し、前記シグマ−デルタ変調装置に対する信号入力の包絡線を生成するための前記手段は、前記再構成された信号から前記包絡線を生成するように構成される、請求項２１に記載の装置。
【請求項２５】
前記シグマ−デルタ変調装置に対する信号入力の包絡線を生成するための前記手段は、前記再構成された信号を整流するための手段を具備する、請求項２４に記載の装置。
【請求項２６】
前記シグマ−デルタ変調装置に対する信号入力の包絡線を生成するための前記手段は、前記整流された再構成された信号をフィルタするための手段を具備する、請求項２５に記載の装置。
【請求項２７】
前記シグマ−デルタ変調装置に対する前記信号入力を再構成するための前記手段は、前記フィードバック信号からの前記シグマ−デルタ変調装置に対する前記信号入力を再構成するように構成される、請求項２４に記載の装置。
【請求項２８】
前記シグマ−デルタ変調装置に対する前記信号入力を再構成するための前記手段は、前記フィードバック信号をフィルタするための手段を具備する、請求項２７に記載の装置。
【請求項２９】
前記シグマ−デルタ変調装置は、フィードバックループを具備し、前記シグマ−デルタ変調装置からの信号出力の前記ダイナミック・レンジを適応性のあるように調整するための前記手段は、前記シグマーデルタ変調装置の中の前記フィードバックループにフィードバック信号を提供するように構成される、請求項２１に記載の装置。
【請求項３０】
シグマ−デルタ変調装置から出力された信号を受信するように構成された装置であって、前記受信された信号の前記ダイナミック・レンジは適応性のあるように調整されており、
そのダイナミック・レンジが逆に調整されている前記受信された信号を備える出力を生ずるために前記受信された信号を処理するための手段と、
前記出力をフィルタするための手段と
を具備する装置。
【請求項３１】
前記受信された信号を処理するための前記手段は、前記シグマ−デルタ変調装置に対する信号入力の包絡線を生成するための手段、及び前記受信された信号に前記包絡線を適用するための手段を具備する、請求項３０に記載の装置。
【請求項３２】
前記受信された信号に前記包絡線を適用するための前記手段は乗算器を具備する、請求項３１に記載の装置。
【請求項３３】
前記受信された信号を処理するための前記手段は、前記包絡線の振幅を調整するための手段を具備する、請求項３１に記載の装置。
【請求項３４】
前記受信された信号を処理するための前記手段は、前記シグマ−デルタ変調装置に対する前記信号入力を再構成するための手段を更に具備し、前記シグマ−デルタ変調装置に対する信号入力の包絡線を生成するための前記手段は、前記再構成された信号から前記包絡線を生成するように構成される、請求項３１に記載の装置。
【請求項３５】
前記シグマ−デルタ変調装置に対する信号入力の包絡線を生成するための前記手段は、前記再構成された信号を整流するための手段を具備する、請求項３４に記載の装置。
【請求項３６】
前記シグマ−デルタ変調装置に対する信号入力の包絡線を生成するための前記手段は、前記整流された再構成された信号をフィルタするための手段を更に具備する、請求項３５に記載の装置。
【請求項３７】
前記シグマ−デルタ変調装置に対する信号入力を再構成するための前記手段は、前記受信された信号から前記シグマ−デルタ変調装置に対する前記信号入力を再構成するように構成される、請求項３４に記載の装置。
【請求項３８】
前記シグマ−デルタ変調装置に対する前記信号入力を再構成するための前記手段は、前記受信された信号をフィルタするための手段を具備する、請求項３４に記載の装置。
【請求項３９】
シグマ−デルタ変調装置を通って信号を渡すことと、
前記シグマ−デルタ変調装置からの前記信号出力の前記ダイナミック・レンジを適応性のあるように調整することと
を具備する、信号を処理するための方法。
【請求項４０】
前記シグマ−デルタ変調装置から出力された信号の前記ダイナミック・レンジの前記適応性のあるように調整することは、前記シグマ−デルタ変調装置に対する信号入力の包絡線を生成すること、及び前記シグマ−デルタ変調装置のためのフィードバック信号を生成するために前記シグマ−デルタ変調装置からの前記信号出力に前記包絡線を適用することを具備する、請求項３９に記載の方法。
【請求項４１】
前記前記シグマ−デルタ変調装置からの前記信号出力に対する前記包絡線の前記適用することは、前記シグマ−デルタ変調装置からの前記信号出力と前記包絡線を乗算することを具備する、請求項４０に記載の方法。
【請求項４２】
前記シグマ−デルタ変調装置からの信号出力の前記ダイナミック・レンジの前記適応性のあるように調整することは、前記包絡線の振幅を調整することを更に具備する、請求項４０に記載の方法。
【請求項４３】
前記シグマーデルタ変調装置からの信号出力の前記ダイナミック・レンジの前記適応性のあるように調整することは、前記シグマーデルタ変調装置に対する前記信号入力を再構成することを具備し、前記シグマ−デルタ変調装置に対する信号入力の前記包絡線は、前記再構成された信号から生成される、請求項４０に記載の方法。
【請求項４４】
前記シグマ−デルタ変調装置に対する信号入力の包絡線の前記生成することは、前記再構成された信号を整流することを具備する、請求項４３に記載された方法。
【請求項４５】
前記シグマ−デルタ変調装置に対する信号入力の包絡線の前記生成することは、前記整流された再構成された信号をフィルタすることを更に具備する、請求項４４に記載の方法。
【請求項４６】
前記シグマ−デルタ変調装置に対する前記信号入力は、前記フィードック信号から再構成される、請求項４３に記載の方法。
【請求項４７】
前記シグマ−デルタ変調装置に対する前記信号入力の前記再構成することは、前記フィードバック信号をフィルタすることを具備する、請求項４６に記載の方法。
【請求項４８】
前記シグマ−デルタ変調装置は、フィードバックループを具備し、備える前記シグマ−デルタ変調装置からの信号出力の前記ダイナミック・レンジの前記適応性のあるように調整することは、前記シグマ−デルタ変調装置の中の前記フィードバックループに前記フィードバック信号を提供する、請求項４０に記載の方法。
【請求項４９】
シグマ−デルタ変調装置の出力から受信された信号を処理するための方法であって、前記受信された信号の前記ダイナミック・レンジは適応性のあるように調整されており、
そのダイナミック・レンジが逆に調整されている前記受信された信号を備える出力を生ずるために前記受信された信号を処理することと、
前記出力をフィルタすることと
を具備する方法。
【請求項５０】
前記シグマ−デルタ変調装置に対する信号入力の包絡線を生成すること及び前記受信された信号に前記包絡線を適用することを具備する、請求項４９に記載の方法。
【請求項５１】
前記受信された信号に対する包絡線の前記適用することは、前記受信された信号と前記包絡線を乗算することを具備する、請求項５０に記載の方法。
【請求項５２】
前記受信された信号の前記処理することは、前記包絡線の振幅を調整することを具備する、請求項５０に記載の方法。
【請求項５３】
前記受信された信号の前記処理することは、前記シグマ−デルタ変調装置に対する前記信号入力を再構成することを具備し、前記包絡線は、前記再構成された信号から生成される、請求項５０に記載の方法。
【請求項５４】
前記シグマ−デルタ変調装置に対する信号入力の包絡線の前記生成することは、前記再構成された信号を整流することを具備する、請求項５３に記載の方法。
【請求項５５】
前記シグマ−デルタ変調装置に対する信号入力の包絡線の前記生成することは、前記整流された再構成された信号をフィルタすることを更に具備する、請求項５４に記載の方法。
【請求項５６】
前記シグマ−デルタ変調装置に対する前記信号入力は、前記受信された信号から再構成される、請求項５３に記載の方法。
【請求項５７】
前記シグマ−デルタ変調装置に対する前記信号入力の前記再構成することは、前記受信された信号をフィルタすることを具備する、請求項５３に記載の方法。
【請求項５８】
処理システムによって実行可能な命令を備える機械読み取り可能媒体を具備し、前記命令は、
シグマ−デルタ変調装置からの信号を渡すことと、
前記シグマ−デルタ変調装置から出力された前記信号の前記ダイナミック・レンジ
を適応性のあるように調整することと
のためのコードを備える、
信号を処理するためのコンピュータプログラム製品。
【請求項５９】
シグマ−デルタ変調装置から出力された信号を受信するように構成された処理システムによって実行可能な命令を備える機械読み取り可能媒体を具備し、前記受信された信号の前記ダイナミック・レンジは適応性のあるように調整されており、前記命令は、
そのダイナミック・レンジが逆に調整されている前記受信された信号を備える出力を生ずるために前記受信された信号を渡すことと、
前記出力をフィルタすることと
のためのコードを備える、
信号を処理するためのコンピュータプログラム製品。
【請求項６０】
基準化された信号及び入力信号を受信し、フィルタされた信号を生成するように構成されたフィルタと、
前記フィルタされた信号に基づいて量子化された信号を生成するように構成された量子化器と、
前記量子化された信号に基づいて前記基準化された信号を生成するように構成された適応性のあるダイナミック・レンジコントローラと
を具備する、信号を処理するための装置。
【請求項６１】
前記適応性のあるダイナミック・レンジコントローラは、包絡線信号を生成するように構成された包絡線検出器、及び前記基準化された信号を生成するための前記包絡線信号と前記量子化された信号を乗算するように構成された乗算器を更に具備する、請求項６１に記載の装置。
【請求項６２】
前記適応性のあるダイナミック・レンジコントローラは、前記包絡線信号の振幅を調整するように構成された可変利得の増幅器を更に具備する、請求項６２に記載の装置。
【請求項６３】
前記適応性のあるダイナミック・レンジコントローラは、前記基準化された信号を受信し、出力を生成するように構成された信号再構成ユニットを更に具備し、前記包絡線検出器は、前記信号再構成ユニットからの前記出力に基づいて前記包絡線信号を生成するように更に構成される、請求項６２に記載の装置。
【請求項６４】
前記包絡線検出器は、前記信号再構成ユニットからの前記出力を整流するように構成された整流器を更に具備する、請求項６４に記載の装置。
【請求項６５】
前記包絡線検出器は、フィルタを更に具備し、前記整流器は、前記フィルタに前記信号再構成ユニットからの前記整流された出力を提供するように更に構成される、請求項６５に記載の装置。
【請求項６６】
前記信号再構成ユニットは、前記基準化された信号をフィルタするように構成されたフィルタを具備する、請求項６４に記載の装置。
【請求項６７】
シグマ−デルタ変調装置から出力された信号を受信するように構成された装置であって、前記受信された信号の前記ダイナミック・レンジは適応性のあるように調整されており、
前記シグマ−デルタ変調装置から前記信号を受信し、基準化された信号を生成するように構成された適応性のあるダイナミック・レンジコントローラと、
前記基準化された信号を受信するように構成されたフィルタと
を具備する装置。
【請求項６８】
前記適応性のあるダイナミック・レンジコントローラは、包絡線信号を生成するように構成された包絡線検出器、及び前記基準化された信号を生成するために前記シグマ−デルタ変調装置からの前記受信された信号と前記包絡線信号を乗算するように構成された乗算器を更に具備する、請求項６８に記載の装置。
【請求項６９】
前記適応性のあるダイナミック・レンジコントローラは、前記包絡線信号の振幅を調整するように構成された可変利得の増幅器を更に具備する、請求項６９に記載の装置。
【請求項７０】
前記適応性のあるダイナミック・レンジコントローラは、前記基準化された信号を受信し、出力を生成するように構成された信号再構成ユニットを更に具備し、前記包絡線検出器は、前記信号再構成ユニットの前記出力に基づいて前記包絡線信号を生成するように更に構成される、請求項６９に記載の装置。
【請求項７１】
前記包絡線検出器は、前記信号再構成ユニットからの前記出力を整流するように構成された整流器を更に具備する、請求項７１に記載の装置。
【請求項７２】
前記包絡線検出器は、フィルタを更に具備し、前記整流器は、前記フィルタに前記信号再構成ユニットからの前記整流された出力を提供するように更に構成される、請求項７２に記載の装置。
【請求項７３】
前記信号再構成ユニットは、前記基準化された信号をフィルタするように構成されたフィルタを具備する、請求項７１に記載の装置。
【請求項７４】
フィルタされた信号を生成するために基準化された信号に基づいて入力信号をフィルタするための手段と、
前記フィルタされた信号に基づいて量子化された信号を生成するための手段と、
前記量子化された信号に基づいて前記基準化された信号を生成するための手段と
を具備する、信号を処理するための装置。
【請求項７５】
前記基準化された信号を生成するための前記手段は、包絡線信号を生成するための手段及び前記基準化された信号を生成するために前記量子化された信号に前記包絡線信号を適用するための手段を具備する、請求項７５に記載の装置。
【請求項７６】
前記基準化された信号を生成するための前記手段は、前記包絡線信号の振幅を調整するための手段を更に具備する、請求項７６に記載の装置。
【請求項７７】
前記基準化された信号を生成するための前記手段は、前記基準化された信号から前記入力信号を再構成するための手段を更に具備し、包絡線信号を生成するための前記手段は、前記再構成された入力信号に基づいて前記包絡線信号を生成するように構成される、請求項７６に記載の装置。
【請求項７８】
前記包絡線信号を生成するための前記手段は、前記再構成された入力信号を整流するための手段を具備する、請求項７８に記載の装置。
【請求項７９】
前記包絡線を生成するための前記手段は、前記整流された再構成された入力信号をフィルタするための手段を更に具備する、請求項７９に記載の装置。
【請求項８０】
前記入力信号を再構成するための前記手段は、前記基準化された信号をフィルタするための手段を具備する、請求項７８に記載の装置。
【請求項８１】
シグマ−デルタ変調装置から出力された信号を受信するように構成された装置であって、前記受信された信号の前記ダイナミック・レンジは適応性のあるように調整されており、
前記シグマ−デルタ変調装置から出力された前記受信された信号に基づいて基準化された信号を生成するための手段と、
前記基準化された信号をフィルタするための手段と
を具備する装置。
【請求項８２】
前記基準化された信号をフィルタするための前記手段は、包絡線信号を生成するための手段及び前記基準化された信号を生成するために前記シグマーデルタ変調装置からの前記受信された信号に前記包絡線信号を適用するための手段を具備する、請求項８２に記載の装置。
【請求項８３】
前記基準化された信号をフィルタするための前記手段は、前記包絡線信号の振幅を調整するための手段を更に具備する、請求項８３に記載の装置。
【請求項８４】
前記基準化された信号をフィルタするための前記手段は、前記シグマ−デルタ変調装置に対する信号入力を再構成するための手段を更に具備し、前記包絡線検出器は、前記再構成された信号入力に基づいて前記包絡線信号を生成するように構成される、請求項８３に記載の装置。
【請求項８５】
包絡線を生成するための前記手段は、前記再構成された信号入力を整流するための手段を具備する、請求項８５に記載の装置。
【請求項８６】
包絡線を生成するための前記手段は、前記整流された再構成された信号入力をフィルタするための手段を更に具備する、請求項８６に記載の装置。
【請求項８７】
前記シグマ−デルタ変調装置に対する信号入力を再構成するための前記手段は、前記基準化された信号をフィルタするための手段を具備する、請求項８５に記載の装置。
【請求項８８】
フィルタされた信号を生成するために基準化された信号に基づいて入力された信号をフィルタすることと、
前記フィルタされた信号に基づいて量子化された信号を生成することと、
前記量子化された信号に基づいて前記基準化された信号を生成することと
を具備する、信号を処理するための方法。
【請求項８９】
前記基準化された信号の前記生成することは、包絡線信号を生成すること及び前記基準化された信号を生成するために前記量子化された信号に前記包絡線信号を適用することを具備する、請求項８９に記載の方法。
【請求項９０】
前記基準化された信号の前記生成することは、前記包絡線信号の振幅を調整することを更に具備する、請求項９０に記載の方法。
【請求項９１】
前記基準化された信号の前記生成することは、前記基準化された信号から前記入力信号を再構成することを更に具備し、前記包絡線信号の前記生成することは、前記再構成された入力信号に基づいている、請求項９０に記載の方法。
【請求項９２】
前記包絡線信号の前記生成することは、前記再構成された入力信号を整流することを具備する、請求項９２に記載の方法。
【請求項９３】
前記包絡線の前記生成することは、前記整流された再構成された入力信号をフィルタすることを更に具備する、請求項９３に記載の方法。
【請求項９４】
前記入力信号の前記再構成することは、前記基準化された信号をフィルタすることを具備する、請求項９２に記載の方法。
【請求項９５】
シグマ−デルタ変調装置の出力から受信された信号を処理するための方法であって、前記受信された信号の前記ダイナミック・レンジは適応性のあるように調整されており、
前記シグマ−デルタ変調装置から出力された前記受信された信号に基づいて基準化された信号を生成することと、
前記基準化された信号をフィルタすることと
を具備する方法。
【請求項９６】
前記基準化された信号の前記フィルタすることは、包絡線信号を生成すること及び前記基準化された信号を生成するために前記シグマ−デルタ変調装置からの前記受信された信号に前記包絡線信号を適用することを具備する、請求項９６に記載の方法。
【請求項９７】
前記基準化された信号の前記フィルタすることは、前記包絡線信号の振幅を調整することを更に具備する、請求項９７に記載の方法。
【請求項９８】
前記基準化された信号の前記フィルタすることは、前記シグマ−デルタ変調装置に対する信号入力を再構成することを更に具備し、前記包絡線信号の前記生成することは、前記再構成された入力信号に基づいている、請求項９７に記載の方法。
【請求項９９】
包絡線の前記生成することは、前記再構成された信号入力を整流することを具備する、請求項９９に記載の方法。
【請求項１００】
包絡線の前記生成することは、前記整流された再構成された信号入力をフィルタすることを更に具備する、請求項１００に記載の方法。
【請求項１０１】
前記シグマ−デルタ変調装置に対する信号入力の前記再構成することは、前記基準化された信号をフィルタすることを具備する、請求項９９に記載の方法。
【請求項１０２】
処理システムによって実行可能な命令を備える機械読み取り可能媒体を具備し、前記命令は、
フィルタされた信号を生成するために基準化された信号に基づいて入力信号をフィルタすることと、
前記フィルタされた信号に基づいて量子化された信号を生成することと、
前記量子化された信号に基づいて前記基準化された信号を生成することと
のためのコードを備える、
信号を処理するためのコンピュータプログラム製品。
【請求項１０３】
シグマ−デルタ変調装置から出力された信号を受信するように構成された処理システムによって実行可能な命令を備える機械読み取り可能媒体を具備し、前記受信された信号の前記ダイナミック・レンジは適応性のあるように調整されており、前記命令は、
前記シグマ−デルタ変調装置から出力された前記受信された信号に基づいて基準化された信号を生成することと、
前記基準化された信号をフィルタすることと
のためのコードを備える、
信号を処理するためのコンピュータプログラム製品。
【請求項１０４】
信号を生成するように構成された信号ソースと、
前記信号ソースから前記信号を受信し、出力を生ずるように構成されたシグマ−デルタ変調装置と、
前記シグマーデルタ変調装置からの前記出力の前記ダイナミック・レンジを適応性のあるように調整するように構成された適応性のあるダイナミック・レンジコントローラと
を具備する、ヘッドセット。
【請求項１０５】
シグマーデルタ変調装置から出力された信号を受信するように構成されたヘッドセットであって、前記受信された信号の前記ダイナミック・レンジは適応性のあるように調整されており、
信号ロードと、
そのダイナミック・レンジが逆に調整されている前記受信された信号を備える出力を生ずるように構成された適応性のあるダイナミック・レンジコントローラと、
前記適応性のあるダイナミック・レンジコントローラからの前記出力をフィルタし、前記信号ロードに前記フィルタされた出力を提供するように構成されたフィルタと
を具備するハンドセット。
【請求項１０６】
信号を生成するように構成された信号ソースと、
基準化された信号及び前記信号ソースから前記信号を受信し、フィルタされた信号を生成するように構成されたフィルタと、
前記フィルタされた信号に基づいて量子化された信号を生成するように構成された量子化器と、
前記量子化された信号に基づいて前記基準化された信号を生成するように構成された適応性のあるダイナミック・レンジコントローラと
を具備する、ヘッドセット。
【請求項１０７】
シグマ−デルタ変調装置から信号出力を受信するように構成されたヘッドセットであって、前記受信された信号の前記ダイナミック・レンジは適応性のあるように調整されており、
前記シグマ−デルタ変調装置から前記信号を受信し、基準化された信号を生成するように構成された適応性のあるダイナミック・レンジコントローラと、
前記基準化された信号を受信し、フィルタされた信号を生成するように構成されたフィルタと、
前記フィルタされた信号を受信するように構成された信号ロードと
を具備するハンドセット。
【発明の詳細な説明】
【米国特許法第１１９条の下での優先権主張】
【０００１】
本願は、本願の譲受人に譲渡され、参照によって本願に明確に組み込まれた２００７年７月１８日出願の“適応性のあるダイナミック・レンジ制御”と題された、米国特許仮出願第６０／９５０，５９０号に対する優先権を主張する。
【技術分野】
【０００２】
その開示は、電子の分野に一般に関し、シグマ−デルタ変調装置及び他の回路のための適応性のあるダイナミック・レンジ制御のための技術及び装置により一層特に関する。
【背景技術】
【０００３】
シグマ−デルタ変調装置及び他の同様の回路は、多くの年の間存在しており、通信システム、音声システム、精度測定デバイス及び多くの他のもののような広範囲のアプリケーションを有する。音声アプリケーションにおいて、例えば、シグマ−デルタ変調装置はしばしば、１ビットデジタル信号のストリームに音声信号をコバート（covert）するために用いられる。変換処理は、その音声信号をオーバーサンプリングし、このように、より大きなスペクトルを超えて量子化ノイズを広げることによって実行される。その変調装置は、注目の帯域（例えば、音声帯域）の中でそれが低く、それ以外では高いような量子化ノイズのスペクトルのプロパティを更に変更する。
【０００４】
多くの音声システムにおいて、デジタルビットストリームは、プレイバックのために音声信号に戻って変換される前に、送信され、検索され、格納され、または処理される。これらのシステムにおいて、エラーは、その送信媒体の中の妨害、信頼できない記憶媒体、またはエラーを処理することのため、そのデジタルビットストリームに導入されることができる。これらのエラーは、有効な音声人工物に起因することができる。
【０００５】
多くの音声システムにおいて、送信帯域幅及び計算の電力を節約するためにオーバーサンプリング率を低くしたいという更なる欲望がある。そのオーバーサンプリング率が減少するように、その量子化ノイズは、興味の帯域（例えば、音声帯域）の中で増加する。
【０００６】
よって、電力、帯域幅制限及びデジタルビットストリームの中のエラーのため、音声の品質を扱う同様のデバイス及び改良されたシグマ−デルタ変調装置のためのその分野における要望がある。
【発明の概要】
【０００７】
本開示の１つの観点において、信号を処理するための装置は、シグマ−デルタ変調装置、及び前記シグマ−デルタ変調装置からの信号出力の前記ダイナミック・レンジを適応性のあるように調整するように構成された適応性のあるダイナミック・レンジコントローラを含む。
【０００８】
本開示の別の観点において、装置は、シグマーデルタ変調装置から出力された信号を受信するように構成され、前記受信された信号の前記ダイナミック・レンジは、適応性のあるように調整されている。前記装置は、フィルタ、及びそのダイナミック・レンジが逆に調整されている前記受信された信号を備える出力を生じ、前記フィルタに前記出力を提供するように構成された適応性のあるダイナミック・レンジコントローラを含む。
【０００９】
その開示の更に別の観点において、信号を処理するための装置は、シグマ−デルタ変調装置、及び前記シグマ−デルタ変調装置からの信号出力の前記ダイナミック・レンジを適応性のあるように調整するための手段を含む。
【００１０】
本開示のもっと先の観点において、装置は、シグマ−デルタ変調装置から出力された信号を受信するように構成され、前記受信された信号の前記ダイナミック・レンジは、適応性のあるように調整されている。前記装置は、そのダイナミック・レンジが逆に調整されている受信された信号を備える出力を生ずるために前記受信された信号を処理するための手段、及び前記出力をフィルタするための手段を含む。
【００１１】
本開示の更にもっと先の観点において、信号を処理するための方法は、シグマ−デルタ変調装置を通って信号を渡すこと、及び前記シグマーデルタ変調装置からの前記信号出力の前記ダイナミック・レンジを適応性のあるように調整することを含む。
【００１２】
本開示のまだ更にもっと先の観点において、シグマ−デルタ変調装置の出力から受信された信号を処理するための方法は、そのダイナミック・レンジが逆に調整されている前記受信された信号を備える出力を生ずるために前記受信された信号を処理すること、及び前記出力をフィルタすることを含む。そして、前記受信された信号の前記ダイナミック・レンジは、適応性のあるように調整されている。
【００１３】
本開示の別の観点において、信号を処理するためのコンピュータプログラム製品は、処理システムによって実行可能な命令を備える機械読み取り可能媒体を含み、前記命令は、シグマ−デルタ変調装置からの信号を渡すこと、及び前記シグマ−デルタ変調装置からの前記信号出力の前記ダイナミック・レンジを適応性のあるように調整することのためのコードを含む。
【００１４】
本開示の更に別の観点において、信号を処理するためのコンピュータプログラム製品は、シグマ−デルタ変調装置から出力された信号を受信するように構成された処理システムによって実行可能な命令を備える機械読み取り可能媒体を含み、前記受信された信号の前記ダイナミック・レンジは、適応性のあるように調整されており、前記命令は、そのダイナミック・レンジが逆に調整されている前記受信された信号を備える出力を生ずるために前記受信された信号を処理すること、及び前記出力をフィルタすることのためのコードを含む。
【００１５】
本開示のまだ更に別の観点において、信号を処理するための装置は、基準化された信号及び入力信号を受信し、フィルタされた信号を生成するように構成されたフィルタ、前記フィルタされた信号に基づいて量子化された信号を生成するように構成された量子化器、及び前記量子化された信号に基づいて前記基準化された信号を生成するように構成された適応性のあるダイナミック・レンジコントローラを含む。
【００１６】
本開示のもっと先の観点において、装置は、シグマーデルタ変調装置から出力された信号を受信するように構成され、前記受信された信号の前記ダイナミック・レンジは、適応性のあるように調整されている。前記装置は、前記シグマ−デルタ変調装置から前記信号を受信し、基準化された信号を生成するように構成された適応性のあるダイナミック・レンジコントローラ、及び前記基準化された信号を受信するように構成されたフィルタを含む。
【００１７】
本開示の更にもっと先の観点において、信号を処理するための装置は、フィルタされた信号を生成するために基準化された信号に基づいて入力信号をフィルタするための手段、前記フィルタされた信号に基づいて量子化された信号を生成するための手段、及び前記量子化された信号に基づいて前記基準化された信号を生成するための手段を含む。
【００１８】
本開示のまだ更に別の観点において、装置は、シグマ−デルタ変調装置から出力された信号を受信するように構成され、前記受信された信号の前記ダイナミック・レンジは、適応性のあるように調整されている。前記装置は、前記シグマ−デルタ変調装置から出力された前記受信された信号に基づいて基準化された信号を生成するための手段、及び前記基準化された信号をフィルタするための手段を含む。
【００１９】
本開示のもっと先の観点において、信号を処理するための方法は、フィルタされた信号を生成するために基準化された信号に基づいて入力信号をフィルタすること、前記フィルタされた信号に基づいて量子化された信号を生成すること、及び前記量子化された信号に基づいて前記基準化された信号を生成することを含む。
【００２０】
本開示の更にもっと先の観点において、シグマ−デルタ変調装置の出力から受信された信号を処理するための方法は、前記シグマ−デルタ変調装置から出力された前記受信された信号に基づいて基準化された信号を生成すること、及び前記基準化された信号をフィルタすることを含む。そして、前記受信された信号の前記ダイナミック・レンジは、適応性のあるように調整されている。
【００２１】
本開示のまだ更にもっと先の観点において、信号を処理するためのコンピュータプログラム製品は、処理システムによって実行可能な命令を備える機械読み取り可能媒体を含み、前記命令は、フィルタされた信号を生成するために基準化された信号に基づいて入力信号をフィルタすること、前記フィルタされた信号に基づいて量子化された信号を生成すること、及び前記量子化された信号に基づいて前記基準化された信号を生成することのためのコードを含む。
【００２２】
本開示の別の観点において、信号を処理するためのコンピュータプログラム製品は、シグマ−デルタ変調装置から出力された信号を受信するように構成された処理システムによって実行可能な命令を備える機械読み取り可能媒体を含み、前記受信された信号の前記ダイナミック・レンジは、適応性のあるように調整されており、前記命令は、前記シグマ−デルタ変調装置から出力された前記受信された信号に基づいて基準化された信号を生成すること、及び前記基準化された信号をフィルタすることのためのコードを含む。
【００２３】
本開示の更に別の観点において、ヘッドセットは、信号を生成するように構成された信号ソース、前記信号ソースから前記信号を受信し、出力を生ずるように構成されたシグマ−デルタ変調装置、及び前記シグマーデルタ変調装置からの前記出力の前記ダイナミック・レンジを適応性のあるように調整するように構成された適応性のあるダイナミック・レンジコントローラを含む。
【００２４】
本開示のまだ更に別の観点において、ヘッドセットは、シグマ−デルタ変調装置から出力された信号を受信するように構成され、前記受信された信号の前記ダイナミック・レンジは、適応性のあるように調整されている。前記ヘッドセットは、信号ロード、そのダイナミック・レンジが逆に調整されている前記受信された信号を備える出力を生ずるように構成された適応性のあるダイナミック・レンジコントローラ、及び前記適応性のあるダイナミック・レンジコントローラからの前記出力をフィルタし、前記信号ロードに前記フィルタされた出力を提供するように構成されたフィルタを含む。
【００２５】
本開示のもっと先の観点において、ヘッドセットは、信号を生成するように構成された信号ソース、基準化された信号及び前記信号ソースから前記信号を受信し、フィルタされた信号を生成するように構成されたフィルタ、前記フィルタされた信号に基づいて量子化された信号を生成するように構成されたクアンタイザ、及び前記量子化された信号に基づいて前記基準化された信号を生成するように構成された適応性のあるダイナミック・レンジコントローラを含む。
【００２６】
本開示の更にもっと先の観点において、ヘッドセットは、シグマ−デルタ変調装置から出力された信号を受信するように構成され、前記受信された信号の前記ダイナミック・レンジは、適応性のあるように調整されており、前記ハンドセット（handset）は、前記シグマ−デルタ変調装置から前記信号を受信し、基準化された信号を生成するように構成された適応性のあるダイナミック・レンジコントローラ、前記基準化された信号を受信し、フィルタされた信号を生成するように構成されたフィルタ、及び前記フィルタされた信号を受信するように構成された信号ロードを含む。
【００２７】
本発明の他の観点が以下の詳細な記述から当業者にとって容易に明白となるであろうことは理解される。そして、本発明の様々な観点は、実例として記述され、示されている。理解されるように、本発明は、他のおよび異なる構成および実施が可能であり、そのいくつかの細部は、この開示の範囲から外れることのない全ての様々な他の点において変更が可能である。よって、図及び詳細な記述は、制限するようにではなく、本質の中の実例となるようにみなされるべきである。
【図面の簡単な説明】
【００２８】
【図１】図１は、音声システムの一例を示す概念図である。
【図２】図２は、第１の命令シグマ−デルタ変調装置を伴うエンコーダの一例を示す概念ブロック図である。
【図３】図３は、第３の命令シグマーデルタ変調装置を伴うエンコーダの一例を示す概念ブロック図である。
【図４】図４は、適応性のあるダイナミック・レンジコントローラの一例を示す概念図である。
【図５】図５は、デコーダの一例を示す概要図である。
【図６Ａ】図６Ａは、エンコーダの例を示す機能ブロック図である。
【図６Ｂ】図６Ｂは、エンコーダの例を示す機能ブロック図である。
【図７Ａ】図７Ａは、デコーダの例を示す機能ブロック図である。
【図７Ｂ】図７Ｂは、デコーダの例を示す機能ブロック図である。
【発明を実施するための形態】
【００２９】
添えられた図に関連して以後、以下に示される詳細な記述は、発明の様々な構成の記述として意図されており、発明が実行されることができる唯一の構成を表すことを意図されない。その詳細な記述は、発明の完全な理解を提供することの目的のための明確な細部を含む。しかしながら、その発明がこれらの明確な細部なく実行されることができるということは当業者に明白であろう。いくつかの例において、よく知られた構造及び構成要素は、その発明の構成を覆い隠すことを避けるためにブロック図形の中に示される。
【００３０】
図１は、音声システムの一例を示す概念図である。その音声システム１００は、信号ソース１０２からデジタルビットストリームに音声信号を変換するエンコーダ１０４と共に示される。そのデジタルビットストリームは、信号ロード１１０に対する提示のためにデコーダ１０８によって音声信号に戻って変換される前に送信され、検索され、格納され、または処理されることができる。そのデジタルビットストリームの送信、検索、記憶または処理は、チャネル１０６として図１の中に広く表される。
【００３１】
図１に示される構成要素の全体は、音声システムの多くの異なるタイプを広く表すことを意図される。例として、音声システム１００は、セルラー電話、パーソナル（ＰＤＡ）、デスクストップまたはラップトップコンピュータまたは全ての他の適切なデバイスとの無線通信に携わるヘッドセットを表すことができる。この例において、信号ソース１０２及びエンコーダ１０４は、送信デバイスを表し、デコーダ１０８及び信号ロード１１０は、受信デバイスを表す。信号ソース１０２は、マイクロフォンと関連づけられている音声電気回路構成を備え、エンコーダ１０４は、その音声電気回路構成からデジタルビットストリームに音声信号を変換する。チャネル１０６は、様々な物理層処理（例えば、ＲＦ前後処理、記号マッピング、ターボコーディング等）を含む２つのデバイス間の無線チャネルを表す。デコーダ１０８は、音声信号にデジタルビットストリームを変換し、信号ロード１１０にそれを与える。それは、音声信号のその上のルーティングのための構成要素、メモリ、受信電話上のスピーカーであることができる。
【００３２】
音声システムのもう１つの例は、デジタル音声プレーヤーであり、ＭＰ３のフォーマットの偏在のためにＭＰ３プレーヤーとしていつか言及される。そのデジタル音声プレーヤーは、セルラー電話、ＰＤＡ、デスクトップまたはラップトップコンピュータ、または全ての他の適切なデバイスに統合され、または独立のデバイスであることができる。この例において、信号ソース１０２は、統合されたＦＭチューナーであることができる。エンコーダ１０４は、そのＦＭチューナーからデジタルデータストリームにその音声信号を変換し、音声ファイルの形の中のメモリにこの情報を格納する。そのメモリ及び関連づけられた処理は、チャネル１０６によって表される。そのデジタルデータストリーム、またはその音声ファイルの内容は、メモリの読出しであり、デコーダ１０８によって音声信号に変換され、信号ロード１１０、一般にスピーカーに与えられる。
【００３３】
様々な概念は、図１のデコーダ１０８及びエンコーダ１０４と関連して今与えられるであろう。これらの概念は、最初の音声信号の即時振幅によれば、デコーダ１０８で妨害の振幅を変調することによってデジタルビットストリームの中のエラーのため、音声の品質をアドレス指定するために設計される。これらの概念はここまで論じられた音声システムによく適しているが、当業者は、これらの概念が音声システムの多くの他のタイプに広げられることができるということを容易に認識し、また、媒体の他のタイプを支援するシステムに適用できる。
【００３４】
図２は、エンコーダの一例を示す概念ブロック図である。この例において、エンコーダ１０４は、アナログ−デジタル変換器（ＡＤＣ）として記述されるであろう。しかし、当業者は、与えられた様々な概念がデジタル−アナログ変換器（ＤＡＣ）として構成されるエンコーダに等しく適用できるということを容易に認識するであろう。
【００３５】
図２を参照すると、より高い命令変調装置は量子化ノイズを減少させるために用いられることができるが、エンコーダ１０４は、第１の命令シグマ−デルタ変調装置を含む。この例において、音声信号は、合計ノード２０６に入力される。合計ノード２０６はまた、適応性のあるダイナミック・レンジコントローラ２０４から入力を受信する。その２つの入力の間の相違は、統合機能を提供するフィルタ２０８に提供される。そのフィルタされた（filtered）出力は、１ビットの量子化器２１０にそのとき提供される。クアンタイザ２１０は、オーバーサンプリングする周波数（例えば、ナイキスト周波数より大きい周波数）でデジタルビットストリームを備えるエンコーダの出力を生成する。デジタルビットストリームはまた、合計ノード２０６への入力を生成するために適応性のあるダイナミック・レンジコントローラ２０４にフィードバックされる。
【００３６】
適応性のあるダイナミック・レンジコントローラ２０４は、そのシグマ−デルタ変調装置２０２から信号出力のダイナミック・レンジを適応性のあるように調整するために構成される。これは、乗算ノード２１６を通ってデジタルビットストリームを基準化するための結果を使用すること及び包絡線検出器２１４及び信号再構成ユニット２１２を通ってシグマ−デルタ変調装置２０２からデジタルビットストリームを渡すことによって成し遂げられる。乗算ノード２１６からの基準化された出力は、シグマ−デルタ変調装置２０２に提供され、それが合計ノード２０６で音声入力信号から減算される。結果として、シグマ−デルタ変調装置２０２からの信号出力のダイナミック・レンジは、音声入力信号の即時振幅に逆に比例して調整される。言い換えると、音声信号の中の低い信号振幅領域は、ダイナミック・レンジの最大の増加を受け取る。このように、チャネルの中に拾い上げられた全ての音声人工物は、その低い信号振幅領域の中のデコーダ１０８（図１参照）ではっきりと減少するであろう。そして、その音声は、ノイズに最も弱い。
【００３７】
以前に論じられたように（as discussed earlier）、より高い命令変調装置は、その音声信号帯域外の量子化ノイズをよりよく形づくるために用いられることができる。第３の命令シグマ−デルタ変調装置に伴うエンコーダの例は、図３と関連して今与えられるであろう。彼の例の中のシグマ−デルタ変調装置２０２は、図２に関連して論じられた第１の命令シグマ−デルタ変調装置の拡張である。いくつかの統合ステージは、第３のフィルタ２０８ａ−２０８ｃと共に実現される。合計ノード２０６ａ−２０６ｃは、適応性のあるダイナミック・レンジコントローラ２０４からの基準化された出力から減算するための各々のステージの入力で提供される。フィードバック経路はまた、第２のステージへの入力及び最後のステージの出力の間に導入される。
【００３８】
図４は、より詳細の適応性のあるダイナミック・レンジコントローラの一例を示す概念図である。信号再構成ユニット２１２は、遅らせられた入力と入力を組み合わせるための合計ノード４０８及び入力を遅らせるための遅延要素４０４を備える１ポールフィルタを含む。フィードバック経路及びフィルタの中の利得は、増幅器４０２，４０６とともに個々に制御される。音声信号の粗い再構成を提供するためのフィルタ機能は、エンコーダに入力する。
【００３９】
包絡線の検出は、シグマーデルタ変調装置からのより高い周波数量子化ノイズ出力を更に減らし、音声信号の粗い再構成のため、全ての不連続から平滑にするための１ポールフィルタを通って信号再構成ユニット２１２からの整流された出力を渡すことによって同様にされる。包絡線検出器２１４は、遅らせられたバージョンと入力を組み合わせるための合計ノード４１４および信号再構成ユニット２１２からの入力を遅らせるための遅延要素４１６を備える１ポールフィルタが後続される整流器４１０を含む。フィードバック経路及びフィルタの中の利得は、増幅器４１２，４１８とともに個々に制御される。
【００４０】
適応性のあるダイナミック・レンジコントローラ２０４はまた、包絡線検出器２１２の出力で可変利得の増幅器４２０を含む。包絡線信号の振幅を変更するために用いられることができる増幅器４２０の可変利得。
【００４１】
図５は、デコーダの一例を示す概要図である。デコーダ１０８は、その音声信号を回復するためのデジタルビットストリームのダイナミック・レンジを調整するために機能を果たす適応性のあるダイナミック・レンジコントローラ２０４を含む。より正確には、適応性のあるダイナミック・レンジコントローラ２０４は、その音声信号の即時振幅に逆に比例したデジタルビットストリームのダイナミック・レンジを適応性のあるように調整する。結果として、その音声信号の中の低い信号振幅領域は、ダイナミック・レンジの中の最大の減少を受け取る。それは、そのチャネルの中に拾い上げられた全ての音声人工物をはっきりと減少させる。
【００４２】
適応性のあるダイナミック・レンジコントローラ２０４は、エンコーダ２０２に関連して以前に記述されたものと類似している。それは、包絡線検出器２１４によって伴われる（followed）信号再構成ユニット２１２を有する。信号再構成ユニット２１２及び包絡線検出器２１４の両方は、フィルタ及びフィードバック経路の中の独立して制御された利得とともに１ポールフィルタとして示される。むしろ、その各々のフィルタの利得の組み合わせは、１つである。いくつかの構成において、増幅器４０２，４０６，４１２，４１８の利得は、整調できるパラメータであることができる。可変利得の増幅器４２０は、整調できるパラメータを提供し、クリップ回路５０２は、飽和させることから適応性のあるダイナミック・レンジコントローラの出力を予防する。整調できるパラメータは、コアシグマ−デルタ変調装置ループの安定性および包絡線検出のスルーレート制御のような問題を扱うために用いられることができる。
【００４３】
デコーダ１０８はまた、ローパスフィルタ５０４を含む。そのフィルタ５０４は、下にある音声帯域幅を回復するためのナイキストサンプリング率にデジタルビットストリームをフィルタする（filters）デシメータ（decimator）として機能を果たす。フィルタ５０４からの出力は、信号ロード１１０（図１を見る）に提供されることができる。それは、音声スピーカー、メモリ、送信機または他の適切なデバイスであることができる。音声スピーカーの場合、適応性のあるダイナミック・レンジコントローラからのデジタルビットストリームは、ローパスフィルタ及びスピーカーを備える音声出力を駆動するクラス−Ｄ増幅器に提供されることができる。このデコーダの構成の結果として、クラス−Ｄ増幅器によって消費された電力は、音声信号レベル（例えば、高さ（loudness））に比例する。これは、バッテリ電力を保存することを必要とする家庭用電子機器の中の加算された利益を提供することができる。
【００４４】
図６Ａ及び６Ｂは、エンコーダの例を示す機能ブロック図である。図６Ａにおいて、信号を処理するための装置は、シグマ−デルタ変調装置からの信号出力のダイナミック・レンジを適応性のあるように調整するためのモジュール６０４Ａ及びシグマ−デルタ変調装置６０２Ａを含む。図６Ｂにおいて、信号を処理するための装置は、フィルタされた信号を生成するための基準化された信号に基づいて入力信号をフィルタするためのモジュール６０２Ｂ、フィルタされた信号に基づいて量子化された信号を生成するためのモジュール６０４Ｂ、及び量子化された（quantized）信号に基づいて基準化された信号を生成するためのモジュール６０６Ｂと含む。
【００４５】
図７Ａ及び７Ｂは、デコーダの例を示す機能ブロック図である。図７Ａにおいて、装置は、シグマ−デルタ変調装置からの信号出力を受信するように構成される。そして、受信された信号のダイナミック・レンジは、適応性のあるように調整される。その装置は、そのダイナミック・レンジが逆に調整されている受信された信号を備える出力を生ずるために受信された信号を処理するためのモジュール７０２Ａ、及びその出力をフィルタするためのモジュール７０４Ａを含む。図７Ｂにおいて、装置はまた、シグマ−デルタ変調装置から信号出力を受信するように構成される。そして、その受信された信号のダイナミック・レンジは、適応性のあるように調整されている。その装置は、そのシグマ−デルタ変調装置からの受信された信号出力に基づいて基準化された信号を生成するためのモジュール７０２Ｂ、及びその基準化された信号をフィルタする（filtering）ためのモジュール７０４Ｂを含む。
【００４６】
本明細書に開示された局面に関連して示された様々な例示的論理ブロック、モジュール、及び回路は、集積回路（“ＩＣ”）、アクセス端末、またはアクセス地点によって実行され、または、集積回路（“ＩＣ”）、アクセス端末、またはアクセス地点に実現されうる。そのＩＣは、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、電気的部品、光学的部品、機械部品、または本明細書に記述された機能を実行するために設計された上記何れかの組み合わせを備え、そのＩＣ、そのＩＣの外部、またはその両方に存在する命令またはコードを実行しうる。汎用プロセッサとしてマイクロプロセッサを用いることが可能であるが、代わりに、従来技術によるプロセッサ、コントローラ、マイクロコントローラ、または状態機器を用いることも可能である。プロセッサは、例えばＤＳＰとマイクロプロセッサとの組み合わせ、複数のマイクロプロセッサ、ＤＳＰコアに接続された１つまたは複数のマイクロプロセッサ、またはこのような任意の構成である計算デバイスの組み合わせとして実現することも可能である。
【００４７】
本明細書において教示されることは、様々の装置（例えば、デバイス）に組み込まれうる（に実現されうる、または、によって実行されうる）。例えば、本明細書において教示される１つまたは多くの局面は、電話（例えばセルラー電話）、パーソナル・データ・アシスタント（ＰＤＡ）、娯楽デバイス（例えば、音楽またはビデオデバイス）、ヘッドセット（例えば、ヘッドフォン、イヤーピース等）、マイクロフォン、医療デバイス（例えば、バイオメトリック（biometric）センサ、心拍数モニタ、歩数計、ＥＫＧデバイス等）、ユーザＩ／Ｏデバイス（例えば、時計、遠隔制御（remote control）ライトスイッチ、キーボード、マウス等）、タイヤ圧力モニタ、コンピュータ、ポイントオブセールスデバイス、娯楽デバイス、補聴器、セットトップボックス、または全ての他の適切なデバイスに組み込まれうる。
【００４８】
本説明は、当業者をして、本明細書に開示された様々な局面を実施することを可能とするために提供される。これらの局面への様々な変形例が、当業者には明らかであり、本明細書で定義された一般原理は、他の局面にも適用されうる。したがって、特許請求の範囲は、本明細書に示された局面に限定されることは意図されておらず、請求項の文言と整合が取れた最も広い範囲と一致するように意図されている。ここで、単数形での要素の言及は、特に記載されない限り、「１つまたはただ１つ」を意味するのではなく、「１つまたは複数」を意味するように意図されている。当業者に周知である、または周知となる、本開示を通して説明された様々な局面の要素に対する構成的及び機能的均等物は全て、特許請求の範囲によって包含されることが意図されている。更に、本明細書において開示されたいかなるものも、このような開示が特許請求の範囲において明確に記載されたかにかかわらず、公衆にささげられることは意図されていない。特許請求の範囲におけるいかなる要素も、その要素が「〜する手段」という語句を用いて明確に記載されない限り、または方法請求項の場合、「〜するステップ」という語句を用いて記載されない限り、３５Ｕ．Ｓ．Ｃ．第１１２条第６段落の下で解釈されるべきではない。
【図１】
2010534031.tif 000003
【図２】
2010534031.tif 000004
【図３】
2010534031.tif 000005
【図４】
2010534031.tif 000006
【図５】
2010534031.tif 000007
【図６Ａ】
2010534031.tif 000008
【図６Ｂ】
2010534031.tif 000009
【図７Ａ】
2010534031.tif 000010
【図７Ｂ】
2010534031.tif 000011
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
シグマ−デルタ変調装置と、
前記シグマ−デルタ変調装置からの信号出力のダイナミック・レンジを適応性のあるように調整するように構成された適応性のあるダイナミック・レンジコントローラと
を具備し、
前記適応性のあるダイナミック・レンジコントローラは、前記シグマ−デルタ変調装置に対する信号入力の包絡線を生成し、フィードバック信号を生成するために前記シグマ−デルタ変調装置からの前記信号出力に前記包絡線を適用し、前記シグマーデルタ変調装置に前記フィードバック信号を提供するように構成された包絡線検出器を更に具備する、
信号を処理するための装置。
【請求項２】
前記適応性のあるダイナミック・レンジコントローラは、前記フィードバック信号を生成するために前記シグマ−デルタ変調装置からの前記信号出力に前記包絡線を適用するように構成された乗算器を更に具備する、請求項１に記載の装置。
【請求項３】
前記適応性のあるダイナミック・レンジコントローラは、前記包絡線の振幅を調整するように構成された可変利得の増幅器を更に具備する、請求項１に記載の装置。
【請求項４】
前記適応性のあるダイナミック・レンジコントローラは、前記シグマ−デルタ変調装置に対する前記信号入力を再構成するように構成された信号再構成ユニットを更に具備し、前記包絡線検出器は、前記再構成された信号から前記包絡線を生成するように更に構成される、請求項１に記載の装置。
【請求項５】
前記包絡線検出器は、前記再構成信号を整流するように構成された整流器を更に具備する、請求項４に記載の装置。
【請求項６】
前記包絡線検出器は、フィルタを更に具備し、前記整流器は、前記フィルタに前記整流された再構成された信号を提供するように更に構成される、請求項５に記載の装置。
【請求項７】
前記信号再構成ユニットは、前記フィードバック信号から前記シグマ−デルタ変調装置に対する前記信号入力を再構成するように更に構成される、請求項４に記載の装置。
【請求項８】
前記信号再構成ユニットは、前記シグマ−デルタ変調装置に対する前記信号入力を再構成するように構成されたフィルタを具備する、請求項４に記載の装置。
【請求項９】
前記シグマ−デルタ変調装置は、フィードバックループを具備し、前記適応性のあるダイナミック・レンジコントローラは、前記シグマ−デルタ変調装置の中の前記フィードバックループに前記フィードバック信号を提供するように更に構成される、請求項１に記載の装置。
【請求項１０】
シグマ−デルタ変調装置から出力された信号を受信するように構成された装置であって、前記受信された信号の前記ダイナミック・レンジは適応性のあるように調整されており、
フィルタと、
そのダイナミック・レンジが逆に調整されている前記受信された信号を備える出力を生じ、前記フィルタに前記出力を提供するように構成された適応性のあるダイナミック・レンジコントローラと
を具備し、
前記適応性のあるダイナミック・レンジコントローラは、前記シグマ−デルタ変調装置に対する信号入力の包絡線を生成し、前記受信された信号に前記包絡線を適用するように構成された包絡線検出器を更に具備する、
装置。
【請求項１１】
前記適応性のあるダイナミック・レンジコントローラは、前記受信された信号に前記包絡線を適用するように構成された乗算器を更に具備する、請求項１０に記載の装置。
【請求項１２】
前記適応性のあるダイナミック・レンジコントローラは、前記包絡線の振幅を調整するように構成された可変利得の増幅器を更に具備する、請求項１０に記載の装置。
【請求項１３】
前記適応性のあるダイナミック・レンジコントローラは、前記シグマ−デルタ変調装置に対する前記信号入力を再構成するように構成された信号再構成ユニットを具備し、前記包絡線検出器は、前記再構成された信号から前記包絡線を生成するように更に構成される、請求項１０に記載の装置。
【請求項１４】
前記包絡線検出器は、前記再構成された信号を整流するように構成された整流器を更に具備する、請求項１３に記載の装置。
【請求項１５】
前記包絡線検出器は、フィルタを更に具備し、前記整流器は、前記フィルタに前記整流された再構成された信号を提供するように更に構成される、請求項１４に記載の装置。
【請求項１６】
前記信号再構成ユニットは、前記受信された信号から前記シグマ−デルタ変調装置に対する前記信号入力を再構成するように更に構成される、請求項１３に記載の装置。
【請求項１７】
前記信号再構成ユニットは、前記シグマ−デルタ変調装置に対する前記信号入力を再構成するように構成されたフィルタを具備する、請求項１３に記載の装置。
【請求項１８】
シグマ−デルタ変調装置と、
前記シグマーデルタ変調装置からの信号出力の前記ダイナミック・レンジを適応性のあるように調整するための手段と
を具備し、
前記シグマ−デルタ変調装置からの信号出力の前記ダイナミック・レンジを適応性のあるように調整するための前記手段は、前記シグマ−デルタ変調装置に対する信号入力の包絡線を生成するための手段、及び前記シグマ−デルタ変調装置のためのフィードバック信号を生成するために前記シグマ−デルタ変調装置からの前記信号出力に前記包絡線を適用するための手段を具備する、
信号を処理するための装置。
【請求項１９】
前記シグマ−デルタ変調装置からの前記信号出力に前記包絡線を適用するための前記手段は乗算器を具備する、請求項１８に記載の装置。
【請求項２０】
前記シグマ−デルタ変調装置からの信号出力の前記ダイナミック・レンジを適応性のあるように調整するための前記手段は、前記包絡線の振幅を調整するための手段を更に具備する、請求項１８に記載の装置。
【請求項２１】
前記シグマ−デルタ変調装置からの信号出力の前記ダイナミック・レンジを適応性のあるように調整するための前記手段は、前記シグマ−デルタ変調装置に対する前記信号入力を再構成するための手段を更に具備し、前記シグマ−デルタ変調装置に対する信号入力の包絡線を生成するための前記手段は、前記再構成された信号から前記包絡線を生成するように構成される、請求項１８に記載の装置。
【請求項２２】
前記シグマ−デルタ変調装置に対する信号入力の包絡線を生成するための前記手段は、前記再構成された信号を整流するための手段を具備する、請求項２１に記載の装置。
【請求項２３】
前記シグマ−デルタ変調装置に対する信号入力の包絡線を生成するための前記手段は、前記整流された再構成された信号をフィルタするための手段を具備する、請求項２２に記載の装置。
【請求項２４】
前記シグマ−デルタ変調装置に対する前記信号入力を再構成するための前記手段は、前記フィードバック信号からの前記シグマ−デルタ変調装置に対する前記信号入力を再構成するように構成される、請求項２１に記載の装置。
【請求項２５】
前記シグマ−デルタ変調装置に対する前記信号入力を再構成するための前記手段は、前記フィードバック信号をフィルタするための手段を具備する、請求項２４に記載の装置。
【請求項２６】
前記シグマ−デルタ変調装置は、フィードバックループを具備し、前記シグマ−デルタ変調装置からの信号出力の前記ダイナミック・レンジを適応性のあるように調整するための前記手段は、前記シグマーデルタ変調装置の中の前記フィードバックループにフィードバック信号を提供するように構成される、請求項１８に記載の装置。
【請求項２７】
シグマ−デルタ変調装置から出力された信号を受信するように構成された装置であって、前記受信された信号の前記ダイナミック・レンジは適応性のあるように調整されており、
そのダイナミック・レンジが逆に調整されている前記受信された信号を備える出力を生ずるために前記受信された信号を処理するための手段と、
前記出力をフィルタするための手段と
を具備し、
前記受信された信号を処理するための前記手段は、前記シグマ−デルタ変調装置に対する信号入力の包絡線を生成するための手段、及び前記受信された信号に前記包絡線を適用するための手段を更に具備する、
装置。
【請求項２８】
前記受信された信号に前記包絡線を適用するための前記手段は乗算器を具備する、請求項２７に記載の装置。
【請求項２９】
前記受信された信号を処理するための前記手段は、前記包絡線の振幅を調整するための手段を具備する、請求項２７に記載の装置。
【請求項３０】
前記受信された信号を処理するための前記手段は、前記シグマ−デルタ変調装置に対する前記信号入力を再構成するための手段を更に具備し、前記シグマ−デルタ変調装置に対する信号入力の包絡線を生成するための前記手段は、前記再構成された信号から前記包絡線を生成するように構成される、請求項２７に記載の装置。
【請求項３１】
前記シグマ−デルタ変調装置に対する信号入力の包絡線を生成するための前記手段は、前記再構成された信号を整流するための手段を具備する、請求項３０に記載の装置。
【請求項３２】
前記シグマ−デルタ変調装置に対する信号入力の包絡線を生成するための前記手段は、前記整流された再構成された信号をフィルタするための手段を更に具備する、請求項３１に記載の装置。
【請求項３３】
前記シグマ−デルタ変調装置に対する信号入力を再構成するための前記手段は、前記受信された信号から前記シグマ−デルタ変調装置に対する前記信号入力を再構成するように構成される、請求項３０に記載の装置。
【請求項３４】
前記シグマ−デルタ変調装置に対する前記信号入力を再構成するための前記手段は、前記受信された信号をフィルタするための手段を具備する、請求項３０に記載の装置。
【請求項３５】
シグマ−デルタ変調装置を通って信号を渡すことと、
前記シグマ−デルタ変調装置からの前記信号出力の前記ダイナミック・レンジを適応性のあるように調整することと
を具備し、
前記シグマ−デルタ変調装置から出力された信号の前記ダイナミック・レンジの前記適応性のあるように調整することは、前記シグマ−デルタ変調装置に対する信号入力の包絡線を生成すること、及び前記シグマ−デルタ変調装置のためのフィードバック信号を生成するために前記シグマ−デルタ変調装置からの前記信号出力に前記包絡線を適用することを具備する、
信号を処理するための方法。
【請求項３６】
前記前記シグマ−デルタ変調装置からの前記信号出力に対する前記包絡線の前記適用することは、前記シグマ−デルタ変調装置からの前記信号出力と前記包絡線を乗算することを具備する、請求項３５に記載の方法。
【請求項３７】
前記シグマ−デルタ変調装置からの信号出力の前記ダイナミック・レンジの前記適応性のあるように調整することは、前記包絡線の振幅を調整することを更に具備する、請求項３５に記載の方法。
【請求項３８】
前記シグマーデルタ変調装置からの信号出力の前記ダイナミック・レンジの前記適応性のあるように調整することは、前記シグマーデルタ変調装置に対する前記信号入力を再構成することを具備し、前記シグマ−デルタ変調装置に対する信号入力の前記包絡線は、前記再構成された信号から生成される、請求項３５に記載の方法。
【請求項３９】
前記シグマ−デルタ変調装置に対する信号入力の包絡線の前記生成することは、前記再構成された信号を整流することを具備する、請求項３８に記載された方法。
【請求項４０】
前記シグマ−デルタ変調装置に対する信号入力の包絡線の前記生成することは、前記整流された再構成された信号をフィルタすることを更に具備する、請求項３９に記載の方法。
【請求項４１】
前記シグマ−デルタ変調装置に対する前記信号入力は、前記フィードック信号から再構成される、請求項３８に記載の方法。
【請求項４２】
前記シグマ−デルタ変調装置に対する前記信号入力の前記再構成することは、前記フィードバック信号をフィルタすることを具備する、請求項４１に記載の方法。
【請求項４３】
前記シグマ−デルタ変調装置は、フィードバックループを具備し、備える前記シグマ−デルタ変調装置からの信号出力の前記ダイナミック・レンジの前記適応性のあるように調整することは、前記シグマ−デルタ変調装置の中の前記フィードバックループに前記フィードバック信号を提供する、請求項３５に記載の方法。
【請求項４４】
シグマ−デルタ変調装置の出力から受信された信号を処理するための方法であって、前記受信された信号の前記ダイナミック・レンジは適応性のあるように調整されており、
そのダイナミック・レンジが逆に調整されている前記受信された信号を備える出力を生ずるために前記受信された信号を処理することと、
前記出力をフィルタすることと
を具備し、
前記シグマ−デルタ変調装置に対する信号入力の包絡線を生成すること及び前記受信された信号に前記包絡線を適用することを具備する、
方法。
【請求項４５】
前記受信された信号に対する包絡線の前記適用することは、前記受信された信号と前記包絡線を乗算することを具備する、請求項４４に記載の方法。
【請求項４６】
前記受信された信号の前記処理することは、前記包絡線の振幅を調整することを具備する、請求項４４に記載の方法。
【請求項４７】
前記受信された信号の前記処理することは、前記シグマ−デルタ変調装置に対する前記信号入力を再構成することを具備し、前記包絡線は、前記再構成された信号から生成される、請求項４４に記載の方法。
【請求項４８】
前記シグマ−デルタ変調装置に対する信号入力の包絡線の前記生成することは、前記再構成された信号を整流することを具備する、請求項４７に記載の方法。
【請求項４９】
前記シグマ−デルタ変調装置に対する信号入力の包絡線の前記生成することは、前記整流された再構成された信号をフィルタすることを更に具備する、請求項４８に記載の方法。
【請求項５０】
前記シグマ−デルタ変調装置に対する前記信号入力は、前記受信された信号から再構成される、請求項４７に記載の方法。
【請求項５１】
前記シグマ−デルタ変調装置に対する前記信号入力の前記再構成することは、前記受信された信号をフィルタすることを具備する、請求項４７に記載の方法。
【請求項５２】
処理システムによって実行可能な命令を備える機械読み取り可能媒体を具備し、前記命令は、請求項３５に記載のステップを実行するためのコードを備える、
信号を処理するためのコンピュータプログラム製品。
【請求項５３】
シグマ−デルタ変調装置から出力された信号を受信するように構成された処理システムによって実行可能な命令を備える機械読み取り可能媒体を具備し、前記受信された信号の前記ダイナミック・レンジは適応性のあるように調整されており、前記命令は、請求項４４に記載のステップを実行するためのコードを備える、
信号を処理するためのコンピュータプログラム製品。
【請求項５４】
基準化された信号及び入力信号を受信し、フィルタされた信号を生成するように構成されたフィルタと、
前記フィルタされた信号に基づいて量子化された信号を生成するように構成された量子化器と、
前記量子化された信号に基づいて前記基準化された信号を生成するように構成された適応性のあるダイナミック・レンジコントローラと
を具備し、
前記適応性のあるダイナミック・レンジコントローラは、包絡線信号を生成するように構成された包絡線検出器、及び前記基準化された信号を生成するための前記包絡線信号と前記量子化された信号を乗算するように構成された乗算器を更に具備する、
信号を処理するための装置。
【請求項５５】
前記適応性のあるダイナミック・レンジコントローラは、前記包絡線信号の振幅を調整するように構成された可変利得の増幅器を更に具備する、請求項５４に記載の装置。
【請求項５６】
前記適応性のあるダイナミック・レンジコントローラは、前記基準化された信号を受信し、出力を生成するように構成された信号再構成ユニットを更に具備し、前記包絡線検出器は、前記信号再構成ユニットからの前記出力に基づいて前記包絡線信号を生成するように更に構成される、請求項５４に記載の装置。
【請求項５７】
前記包絡線検出器は、前記信号再構成ユニットからの前記出力を整流するように構成された整流器を更に具備する、請求項５６に記載の装置。
【請求項５８】
前記包絡線検出器は、フィルタを更に具備し、前記整流器は、前記フィルタに前記信号再構成ユニットからの前記整流された出力を提供するように更に構成される、請求項５７に記載の装置。
【請求項５９】
前記信号再構成ユニットは、前記基準化された信号をフィルタするように構成されたフィルタを具備する、請求項５６に記載の装置。
【請求項６０】
シグマ−デルタ変調装置から出力された信号を受信するように構成された装置であって、前記受信された信号の前記ダイナミック・レンジは適応性のあるように調整されており、
前記シグマ−デルタ変調装置から前記信号を受信し、基準化された信号を生成するように構成された適応性のあるダイナミック・レンジコントローラと、
前記基準化された信号を受信するように構成されたフィルタと
を具備し、
前記適応性のあるダイナミック・レンジコントローラは、包絡線信号を生成するように構成された包絡線検出器、及び前記基準化された信号を生成するために前記シグマ−デルタ変調装置からの前記受信された信号と前記包絡線信号を乗算するように構成された乗算器を更に具備する、
装置。
【請求項６１】
前記適応性のあるダイナミック・レンジコントローラは、前記包絡線信号の振幅を調整するように構成された可変利得の増幅器を更に具備する、請求項６０に記載の装置。
【請求項６２】
前記適応性のあるダイナミック・レンジコントローラは、前記基準化された信号を受信し、出力を生成するように構成された信号再構成ユニットを更に具備し、前記包絡線検出器は、前記信号再構成ユニットの前記出力に基づいて前記包絡線信号を生成するように更に構成される、請求項６０に記載の装置。
【請求項６３】
前記包絡線検出器は、前記信号再構成ユニットからの前記出力を整流するように構成された整流器を更に具備する、請求項６２に記載の装置。
【請求項６４】
前記包絡線検出器は、フィルタを更に具備し、前記整流器は、前記フィルタに前記信号再構成ユニットからの前記整流された出力を提供するように更に構成される、請求項６３に記載の装置。
【請求項６５】
前記信号再構成ユニットは、前記基準化された信号をフィルタするように構成されたフィルタを具備する、請求項６２に記載の装置。
【請求項６６】
フィルタされた信号を生成するために基準化された信号に基づいて入力信号をフィルタするための手段と、
前記フィルタされた信号に基づいて量子化された信号を生成するための手段と、
前記量子化された信号に基づいて前記基準化された信号を生成するための手段と
を具備し、
前記基準化された信号を生成するための前記手段は、包絡線信号を生成するための手段及び前記基準化された信号を生成するために前記量子化された信号に前記包絡線信号を適用するための手段を具備する、
信号を処理するための装置。
【請求項６７】
前記基準化された信号を生成するための前記手段は、前記包絡線信号の振幅を調整するための手段を更に具備する、請求項６６に記載の装置。
【請求項６８】
前記基準化された信号を生成するための前記手段は、前記基準化された信号から前記入力信号を再構成するための手段を更に具備し、包絡線信号を生成するための前記手段は、前記再構成された入力信号に基づいて前記包絡線信号を生成するように構成される、請求項６６に記載の装置。
【請求項６９】
前記包絡線信号を生成するための前記手段は、前記再構成された入力信号を整流するための手段を具備する、請求項６９に記載の装置。
【請求項７０】
前記包絡線を生成するための前記手段は、前記整流された再構成された入力信号をフィルタするための手段を更に具備する、請求項６９に記載の装置。
【請求項７１】
前記入力信号を再構成するための前記手段は、前記基準化された信号をフィルタするための手段を具備する、請求項６９に記載の装置。
【請求項７２】
シグマ−デルタ変調装置から出力された信号を受信するように構成された装置であって、前記受信された信号の前記ダイナミック・レンジは適応性のあるように調整されており、
前記シグマ−デルタ変調装置から出力された前記受信された信号に基づいて基準化された信号を生成するための手段と、
前記基準化された信号をフィルタするための手段と
を具備し、
前記基準化された信号をフィルタするための前記手段は、包絡線信号を生成するための手段及び前記基準化された信号を生成するために前記シグマーデルタ変調装置からの前記受信された信号に前記包絡線信号を適用するための手段を具備する、
装置。
【請求項７３】
前記基準化された信号をフィルタするための前記手段は、前記包絡線信号の振幅を調整するための手段を更に具備する、請求項７２に記載の装置。
【請求項７４】
前記基準化された信号をフィルタするための前記手段は、前記シグマ−デルタ変調装置に対する信号入力を再構成するための手段を更に具備し、前記包絡線検出器は、前記再構成された信号入力に基づいて前記包絡線信号を生成するように構成される、請求項７２に記載の装置。
【請求項７５】
包絡線を生成するための前記手段は、前記再構成された信号入力を整流するための手段を具備する、請求項７４に記載の装置。
【請求項７６】
包絡線を生成するための前記手段は、前記整流された再構成された信号入力をフィルタするための手段を更に具備する、請求項７５に記載の装置。
【請求項７７】
前記シグマ−デルタ変調装置に対する信号入力を再構成するための前記手段は、前記基準化された信号をフィルタするための手段を具備する、請求項７６に記載の装置。
【請求項７８】
フィルタされた信号を生成するために基準化された信号に基づいて入力された信号をフィルタすることと、
前記フィルタされた信号に基づいて量子化された信号を生成することと、
前記量子化された信号に基づいて前記基準化された信号を生成することと
を具備し、
前記基準化された信号の前記生成することは、包絡線信号を生成すること及び前記基準化された信号を生成するために前記量子化された信号に前記包絡線信号を適用することを具備する、
信号を処理するための方法。
【請求項７９】
前記基準化された信号の前記生成することは、前記包絡線信号の振幅を調整することを更に具備する、請求項７８に記載の方法。
【請求項８０】
前記基準化された信号の前記生成することは、前記基準化された信号から前記入力信号を再構成することを更に具備し、前記包絡線信号の前記生成することは、前記再構成された入力信号に基づいている、請求項７８に記載の方法。
【請求項８１】
前記包絡線信号の前記生成することは、前記再構成された入力信号を整流することを具備する、請求項８０に記載の方法。
【請求項８２】
前記包絡線の前記生成することは、前記整流された再構成された入力信号をフィルタすることを更に具備する、請求項８１に記載の方法。
【請求項８３】
前記入力信号の前記再構成することは、前記基準化された信号をフィルタすることを具備する、請求項８１に記載の方法。
【請求項８４】
シグマ−デルタ変調装置の出力から受信された信号を処理するための方法であって、前記受信された信号の前記ダイナミック・レンジは適応性のあるように調整されており、
前記シグマ−デルタ変調装置から出力された前記受信された信号に基づいて基準化された信号を生成することと、
前記基準化されたをフィルタすることと
を具備し、
前記基準化された信号の前記フィルタすることは、包絡線信号を生成すること及び前記基準化された信号を生成するために前記シグマ−デルタ変調装置からの前記受信された信号に前記包絡線信号を適用することを具備する、
方法。
【請求項８５】
前記基準化された信号の前記フィルタすることは、前記包絡線信号の振幅を調整することを更に具備する、請求項８４に記載の方法。
【請求項８６】
前記基準化された信号の前記フィルタすることは、前記シグマ−デルタ変調装置に対する信号入力を再構成することを更に具備し、前記包絡線信号の前記生成することは、前記再構成された入力信号に基づいている、請求項８４に記載の方法。
【請求項８７】
包絡線の前記生成することは、前記再構成された信号入力を整流することを具備する、請求項８６に記載の方法。
【請求項８８】
包絡線の前記生成することは、前記整流された再構成された信号入力をフィルタすることを更に具備する、請求項８７に記載の方法。
【請求項８９】
前記シグマ−デルタ変調装置に対する信号入力の前記再構成することは、前記基準化された信号をフィルタすることを具備する、請求項８６に記載の方法。
【請求項９０】
処理システムによって実行可能な命令を備える機械読み取り可能媒体を具備し、前記命令は、請求項７８に記載のステップを実行するためのコードを備える、
信号を処理するためのコンピュータプログラム製品。
【請求項９１】
シグマ−デルタ変調装置から出力された信号を受信するように構成された処理システムによって実行可能な命令を備える機械読み取り可能媒体を具備し、前記受信された信号の前記ダイナミック・レンジは適応性のあるように調整されており、前記命令は、請求項８４に記載のステップを実行するためのコードを備える、
信号を処理するためのコンピュータプログラム製品。
【請求項９２】
請求項１に記載の装置を具備するヘッドセットであって、
信号を生成するように構成された信号ソースと、
前記信号ソースから前記信号を受信し、出力を生ずるように構成された前記シグマ−デルタ変調装置と、
前記シグマ−デルタ変調装置からの前記出力の前記ダイナミック・レンジを適応性のあるように調整するように構成された前記適応性のあるダイナミック・レンジコントローラと
を更に具備する、ヘッドセット。
【請求項９３】
請求項１０に記載の装置を備えるヘッドセットであって、
信号ロードと、
そのダイナミック・レンジが逆に調整されている前記受信された信号を備える前記出力を生ずるように構成された前記適応性のあるダイナミック・レンジコントローラと、
前記適応性のあるダイナミック・レンジコントローラからの前記出力をフィルタし、前記信号ロードに前記フィルタされた出力を提供するように構成された前記フィルタと
を更に具備するヘッドセット。
【請求項９４】
請求項５４に記載の装置を具備するヘッドセットであって、
信号を生成するように構成された信号ソースと、
前記基準化された信号及び前記信号ソースから前記信号を受信し、フィルタされた信号を生成するように構成された前記フィルタと
を更に具備するヘッドセット。
【請求項９５】
請求項６０に記載のヘッドセットであって、
前記基準化された信号を受信し、フィルタされた信号を生成するように構成された前記フィルタと、
前記フィルタされた信号を受信するように構成された信号ロードと
を更に具備するヘッドセット。
【手続補正書】
【提出日】平成22年6月10日(2010.6.10)
【手続補正１】
【補正対象書類名】明細書
【補正対象項目名】０００３
【補正方法】変更
【補正の内容】
【０００３】
シグマ−デルタ変調装置及び他の同様の回路は、多くの年の間存在しており、通信システム、音声システム、精度測定デバイス及び多くの他のもののような広範囲のアプリケーションを有する。音声アプリケーションにおいて、例えば、シグマ−デルタ変調装置はしばしば、１ビットデジタル信号のストリームに音声信号を変換するために用いられる。変換処理は、その音声信号をオーバーサンプリングし、このように、より大きなスペクトルを超えて量子化ノイズを広げることによって実行される。その変調装置は、注目の帯域（例えば、音声帯域）の中でそれが低く、それ以外では高いような量子化ノイズのスペクトルのプロパティを更に変更する。
【手続補正２】
【補正対象書類名】明細書
【補正対象項目名】００３７
【補正方法】変更
【補正の内容】
【００３７】
以前に論じられたように（as discussed earlier）、より高い命令変調装置は、その音声信号帯域外の量子化ノイズをよりよく形づくるために用いられることができる。第３の命令シグマ−デルタ変調装置に伴うエンコーダの例は、図３と関連して今与えられるであろう。この例の中のシグマ−デルタ変調装置２０２は、図２に関連して論じられた第１の命令シグマ−デルタ変調装置の拡張である。いくつかの統合ステージは、第３のフィルタ２０８ａ−２０８ｃと共に実現される。合計ノード２０６ａ−２０６ｃは、適応性のあるダイナミック・レンジコントローラ２０４からの基準化された出力から減算するための各々のステージの入力で提供される。フィードバック経路はまた、第２のステージへの入力及び最後のステージの出力の間に導入される。
【手続補正３】
【補正対象書類名】明細書
【補正対象項目名】００４０
【補正方法】変更
【補正の内容】
【００４０】
適応性のあるダイナミック・レンジコントローラ２０４はまた、包絡線検出器２１２の出力で可変利得の増幅器４２０を含む。増幅器４２０の可変利得は、包絡線信号の振幅を変更するために用いられることができる。
【手続補正４】
【補正対象書類名】明細書
【補正対象項目名】００４２
【補正方法】変更
【補正の内容】
【００４２】
適応性のあるダイナミック・レンジコントローラ２０４は、エンコーダ２０２に関連して以前に記述されたものと類似している。それは、包絡線検出器２１４によって伴われる（followed）信号再構成ユニット２１２を有する。信号再構成ユニット２１２及び包絡線検出器２１４の両方は、フィルタ及びフィードバック経路の中の独立して制御された利得とともに１ポールフィルタとして示される。むしろ、各々のフィルタの利得の組み合わせは、１つである。いくつかの構成において、増幅器４０２，４０６，４１２，４１８の利得は、整調できるパラメータであることができる。可変利得の増幅器４２０は、整調できるパラメータを提供し、クリップ回路５０２は、飽和させることから適応性のあるダイナミック・レンジコントローラの出力を予防する。整調できるパラメータは、コアシグマ−デルタ変調装置ループの安定性および包絡線検出のスルーレート制御のような問題を扱うために用いられることができる。
【手続補正５】
【補正対象書類名】特許請求の範囲
【補正対象項目名】請求項４３
【補正方法】変更
【補正の内容】
【請求項４３】
前記シグマ−デルタ変調装置は、フィードバックループを具備し、前記シグマ−デルタ変調装置からの信号出力の前記ダイナミック・レンジの前記適応性のあるように調整することは、前記シグマ−デルタ変調装置の中の前記フィードバックループに前記フィードバック信号を提供することを具備する、請求項３５に記載の方法。
【手続補正６】
【補正対象書類名】特許請求の範囲
【補正対象項目名】請求項６９
【補正方法】変更
【補正の内容】
【請求項６９】
前記包絡線信号を生成するための前記手段は、前記再構成された入力信号を整流するための手段を具備する、請求項６８に記載の装置。
【手続補正７】
【補正対象書類名】図面
【補正対象項目名】全図
【補正方法】変更
【補正の内容】
【図１】
2010534031.tif 000012
【図２】
2010534031.tif 000013
【図３】
2010534031.tif 000014
【図４】
2010534031.tif 000015
【図５】
2010534031.tif 000016
【図６Ａ】
2010534031.tif 000017
【図６Ｂ】
2010534031.tif 000018
【図７Ａ】
2010534031.tif 000019
【図７Ｂ】
2010534031.tif 000020
【国際調査報告】
2010534031.tif 000021
2010534031.tif 000022